(57)【要約】【課題】キャップ本体をビス止めせずに転倒防止し得るようにしたドレンキャップを提供する。【解決手段】フロア２の排水口３を通水可能に塞ぐキャップ本体１と、該キャップ本体１内の中心部から下方向きに突設されたロッド材４と、該ロッド材４の下端部に上下一対を一組として装着されてキャップ本体１の半径方向に延在する複数組のバネ板９，１０とを備え、各組の上段側のバネ板９が、前記ロッド材４の下端部からクランク状に立ち上がってからキャップ本体１の半径方向外側に所要長さ延びて下向きに折れ曲がり、各組の下段側のバネ板１０が、少なくとも排水口３の半径以上に張り出すように構成する。【選択図】図４
2006045881.tif 000002
【特許請求の範囲】
【請求項１】
フロアの排水口を通水可能に塞ぐキャップ本体と、該キャップ本体内の中心部から下方向きに突設されたロッド材と、該ロッド材の下端部に上下一対を一組として装着されてキャップ本体の半径方向に延在する複数組のバネ板とを備え、各組の上段側のバネ板が、前記ロッド材の下端部からクランク状に立ち上がってからキャップ本体の半径方向外側に所要長さ延びて下向きに折れ曲がり、各組の下段側のバネ板が、少なくとも排水口の半径以上に張り出すように構成したことを特徴とするドレンキャップ。
【請求項２】
上下一対のバネ板の組が、ロッド材の下端部を挟んでキャップ本体の直径方向に対向配置されていることを特徴とする請求項１に記載のドレンキャップ。
【請求項３】
ロッド材の下端部を挟んで対向配置された組の上段側のバネ板同士及び下段側のバネ板同士が、キャップ本体の直径方向に延在する一枚のバネ板により夫々形成されていることを特徴とする請求項２に記載のドレンキャップ。
【請求項４】
ロッド材の下端部にバネ板の回り止め手段が設けられていることを特徴とする請求項１、２、又は３に記載のドレンキャップ。
【発明の詳細な説明】
【技術分野】
【０００１】
本発明は、建築物の排水口に装着されるドレンキャップに関するものである。
【背景技術】
【０００２】
ビルやマンション等の建築物の屋上や各階のベランダには、雨水を排水し得るよう排水口が設けられているのが一般的であり、この種の排水口には、雨水に随伴されるゴミや小枝等の固形物の侵入防止、並びに排水口が剥き出しになることによる危険性の回避、美観の保持等といった観点からドレンキャップが装着されている。
【０００３】
図５〜図７は従来におけるドレンキャップの一例を示すもので、図中１はフロア２の排水口３を通水可能に塞ぐキャップ本体を示し、このキャップ本体１内の中心部には、下方向きに所要長さ延びるロッド材４が突設されており、該ロッド材４の下端部に対し、十文字に交差された二枚の細長いバネ板５の中間部（交差部分）がビス止めされている。
【０００４】
他方、フロア２を形成するためのモルタルやセメント、樹脂等といった流動性硬化材６の打設時に当該フロア２の排水口３の位置にドレイン本体７が一緒に埋め込まれており、前記各バネ板５の両端部を下方向きに撓ませて排水口３内に挿入した際に、前記各バネ板５が弾性力によりドレイン本体７の内周面に圧接することでキャップ本体１が排水口３に固定されるようになっている。
【０００５】
尚、図５中における８はキャップ本体１に形成された雨水を導き入れるための取水口を示している。
【０００６】
この種のドレンキャップに関連する先行技術文献情報としては、本発明と同じ出願人による下記の特許文献１等がある。
【特許文献１】特許第３０５０７８５号明細書
【発明の開示】
【発明が解決しようとする課題】
【０００７】
しかしながら、上記した如き従来のドレンキャップにおいては、バネ板５をドレイン本体７の内周面に圧接させることでキャップ本体１を固定するようにしていたため、ビルの屋上等で強い横風が吹いたような場合に、フロア２の平滑面がとれていないこと等を理由としてキャップ本体１が倒れて排水口３からバネ板５が抜脱してしまう虞れがあった。
【０００８】
他方、このようなキャップ本体１の転倒を防止する対策としては、例えば、図示とは異なる形式の縦引きドレイン等にてキャップ本体１をドレイン本体７にビス止めすることが従来より行われているが、このようにビス止めしてしまうと、排水口３内の清掃を行いたいような場合に、複数本のビスを緩めてキャップ本体１を取り外した上で清掃後に再びビスを締め込んでキャップ本体１を装着し直さなければならないという面倒があり、バネ板５による簡便な固定方式のメリットが損なわれてしまう結果となる。
【０００９】
本発明は上述の実情に鑑みてなしたもので、キャップ本体をビス止めせずに転倒防止し得るようにしたドレンキャップを提供することを目的としている。
【課題を解決するための手段】
【００１０】
本発明は、フロアの排水口を通水可能に塞ぐキャップ本体と、該キャップ本体内の中心部から下方向きに突設されたロッド材と、該ロッド材の下端部に上下一対を一組として装着されてキャップ本体の半径方向に延在する複数組のバネ板とを備え、各組の上段側のバネ板が、前記ロッド材の下端部からクランク状に立ち上がってからキャップ本体の半径方向外側に所要長さ延びて下向きに折れ曲がり、各組の下段側のバネ板が、少なくとも排水口の半径以上に張り出すように構成したことを特徴とするものである。
【００１１】
而して、このようにした場合に、各組の上段側のバネ板をキャップ本体の半径方向に撓ませ且つ各組の下段側のバネ板を下方向きに撓ませて排水口内に挿入すると、上段側のバネ板の先端側で下方向きに折れ曲がる部分が、弾性力により排水口の内周面に圧接する一方、下段側のバネ板の先端側の部分が、前記上段側のバネ板の圧接位置の直下で排水口の内周面に圧接する。
【００１２】
この際、各組の上下一対のバネ板が、周方向の同じ位置において上下二点で排水口の内周面に圧接することになり、特に上段側のバネ板は、基端側のクランク状に立ち上がる部位とそこから半径方向外側に延びる部位とが撓むことで排水口の半径方向に強い突っ張り作用を発揮するので、従来の如き下方向きに撓ませたバネ板だけで周方向複数箇所を一点ずつ圧接させる固定方式と比較して、キャップ本体の転倒モーメントに対する剛性が格段に向上され、強い横風等によるキャップ本体の転倒が確実に防止される。
【００１３】
しかも、上下一対を一組として複数組のバネ板を備えているので、従来と同じ周方向の複数箇所を圧接させた場合でも、その接地点の数や接触面積が二倍以上に増え、キャップ本体の排水口からの抜脱を阻止する摩擦抵抗も大幅に向上されることになり、このような抜脱を阻止する摩擦抵抗の向上によってもキャップ本体の転倒防止効果が高められる。
【００１４】
また、本発明においては、上下一対のバネ板の組が、ロッド材の下端部を挟んでキャップ本体の直径方向に対向配置されていることが好ましく、このようにすれば、ロッド材の下端部を挟んで対向配置された組のバネ板同士の反力が、同じ直径方向における相反する向きに作用することになり、キャップ本体の転倒防止効果がより一層高められることになる。
【００１５】
更に、ロッド材の下端部を挟んで対向配置された組の上段側のバネ板同士及び下段側のバネ板同士が、キャップ本体の直径方向に延在する一枚のバネ板により夫々形成されていることが好ましく、このようにすれば、バネ板の部品点数が削減されてコスト面での削減効果や取り付け作業面での労力軽減効果が得られる。
【００１６】
尚、ロッド材の下端部には、バネ板の回り止め手段が設けられていることが好ましく、このようにすれば、各組の上下のバネ板がキャップ本体の周方向に自由に回転することが防止される結果、各組毎に上下のバネ板がキャップ本体の周方向にずれなくなり、しかも、各組の相互間隔も適正に保持されるので、ドレンキャップの安定した装着状態が維持されることになる。
【発明の効果】
【００１７】
上記した本発明のドレンキャップによれば、下記の如き種々の優れた効果を奏し得る。
【００１８】
（Ｉ）本発明の請求項１に記載の発明によれば、複数本のビスを緩めたり再び締め直したりといった手間をかけずに、キャップ本体の各組のバネ板を撓ませて排水口に挿入するだけで該排水口に対し簡単且つ確実に装着することができるので、従来のバネ板による固定方式を採用したドレンキャップの場合と同様の簡便性を損なうことなく、強い横風等によるキャップ本体の転倒を確実に防止することができる。
【００１９】
（ＩＩ）本発明の請求項２に記載の発明によれば、ロッド材の下端部を挟んで対向配置された組のバネ板同士の反力を、同じ直径方向における相反する向きに作用させることができるので、キャップ本体の転倒防止効果をより一層高めることができる。
【００２０】
（ＩＩＩ）本発明の請求項３に記載の発明によれば、バネ板の部品点数を大幅に削減することができるので、ドレンキャップの製作コストの削減化を図ることができ且つロッド材の下端部への取り付け作業に要する労力を著しく軽減することができる。
【００２１】
（ＩＶ）本発明の請求項４に記載の発明によれば、各組の上下のバネ板の自由な回転を防止することができるので、各組毎に上下のバネ板がキャップ本体の周方向にずれたり、各組の相互間隔が適正に保持されなかったりする不具合を未然に阻止することができ、これによりドレンキャップの安定した装着状態を維持することができる。
【発明を実施するための最良の形態】
【００２２】
以下本発明の実施の形態を図面を参照しつつ説明する。
【００２３】
図１〜図４は本発明を実施する形態の一例を示すもので、図５〜図７と同一の符号を付した部分は同一物を表わしている。
【００２４】
図１及び図２に示す如く、本形態例においては、前述した図５〜図７と略同様に構成したドレンキャップに関し、ロッド材４の下端部に上下一対を一組としてキャップ本体１の半径方向に延在する計四組のバネ板９，１０を装着しており、各組の上段側のバネ板９が、前記ロッド材４の下端部からクランク状に立ち上がってからキャップ本体１の半径方向外側に所要長さ延びて下向きに折れ曲がり、各組の下段側のバネ板１０が、少なくとも排水口３の半径以上に張り出すように構成されている。
【００２５】
ただし、ここに図示している例においては、上下一対のバネ板９，１０の組が、ロッド材４の下端部を挟んでキャップ本体１の直径方向に対向配置されているので、ロッド材４の下端部を挟んで対向配置された組の上段側のバネ板９同士及び下段側のバネ板１０同士を、キャップ本体１の直径方向に延在する一枚のバネ板９，１０により夫々形成し、これら各バネ板９，１０の中間部（交差部分）をビス１１（図３の底面図を参照）によりロッド材４の下端部に装着したものとしてある。
【００２６】
この際、図３の底面図に示されている如く、ロッド材４の底面の四隅には、交差した各バネ板９，１０が成す直角の隅部に対して合致するようにした小さな扇形の突起部１２が回り止め手段として形成されており、これにより上下のバネ板９，１０がキャップ本体１の周方向に自由に回転できないようにしてある。
【００２７】
而して、このようにドレンキャップを構成した場合に、図４に示す如く、各組の上段側のバネ板９をキャップ本体１の半径方向に撓ませ且つ各組の下段側のバネ板１０を下方向きに撓ませて排水口３内に挿入すると、上段側のバネ板９の先端側で下方向きに折れ曲がる部分が、弾性力により排水口３の内周面に圧接する一方、下段側のバネ板１０の先端側の部分が、前記上段側のバネ板９の圧接位置の直下で排水口３の内周面に圧接する。
【００２８】
この際、各組の上下一対のバネ板９，１０が、周方向の同じ位置において上下二点で排水口３の内周面に圧接することになり、特に上段側のバネ板９は、基端側のクランク状に立ち上がる部位とそこから半径方向外側に延びる部位とが撓むことで排水口３の半径方向に強い突っ張り作用を発揮するので、従来の如き下方向きに撓ませたバネ板５（図７参照）だけで周方向複数箇所を一点ずつ圧接させる固定方式と比較して、キャップ本体１の転倒モーメントに対する剛性が格段に向上され、強い横風等によるキャップ本体１の転倒が確実に防止される。
【００２９】
しかも、上下一対を一組として複数組のバネ板９，１０を備えているので、従来と同じ周方向の複数箇所を圧接させた場合でも、その接地点の数や接触面積が二倍以上に増え、キャップ本体１の排水口３からの抜脱を阻止する摩擦抵抗も大幅に向上されることになり、このような抜脱を阻止する摩擦抵抗の向上によってもキャップ本体１の転倒防止効果が高められる。
【００３０】
また、特に本形態例では、上下一対のバネ板９，１０の組が、ロッド材４の下端部を挟んでキャップ本体１の直径方向に対向配置されているので、この対向配置された組のバネ板９，１０同士の反力が、同じ直径方向における相反する向きに作用することになり、キャップ本体１の転倒防止効果をより一層高めることができる。
【００３１】
従って、以上に述べた如きドレンキャップによれば、複数本のビスを緩めたり再び締め直したりといった手間をかけずに、キャップ本体１の各組のバネ板９，１０を撓ませて排水口３に挿入するだけで該排水口３に対し簡単且つ確実に装着することができるので、従来のバネ板９，１０による固定方式を採用したドレンキャップの場合と同様の簡便性を損なうことなく、強い横風等によるキャップ本体１の転倒を確実に防止することができ、特に本形態例では、ロッド材４の下端部を挟んで対向配置された組のバネ板９，１０同士の反力を、同じ直径方向における相反する向きに作用させるようにしているので、キャップ本体１の転倒防止効果をより一層高めることができる。
【００３２】
更に、ロッド材４の下端部を挟んで対向配置された組の上段側のバネ板９同士及び下段側のバネ板１０同士を、キャップ本体１の直径方向に延在する一枚のバネ板９，１０により夫々形成したことによって、バネ板９，１０の部品点数を大幅に削減することができるので、ドレンキャップの製作コストの削減化を図ることができ且つロッド材４の下端部への取り付け作業に要する労力を著しく軽減することができる。
【００３３】
また、ロッド材４の底面の四隅に、バネ板９，１０の回り止め手段として突起部１２を形成したことにより、各組の上下のバネ板９，１０の自由な回転を防止することができ、各組毎に上下のバネ板９，１０がキャップ本体１の周方向にずれたり、各組の相互間隔が適正に保持されなかったりする不具合を未然に阻止することができ、これによりドレンキャップの安定した装着状態を維持することが可能となる。
【００３４】
尚、本発明のドレンキャップは、上述の形態例にのみ限定されるものではなく、キャップ本体及び回り止め手段の形状は図示例に限定されないこと、その他、本発明の要旨を逸脱しない範囲内において種々変更を加え得ることは勿論である。
【図面の簡単な説明】
【００３５】
【図１】本発明を実施する形態の一例を示す斜視図である。
【図２】図１のドレンキャップの断面図である。
【図３】図１のロッド材の下端部を下から見上げた底面図である。
【図４】図２のドレンキャップを排水口に装着した状態を示す断面図である。
【図５】従来のドレンキャップの一例を示す斜視図である。
【図６】図５のドレンキャップの断面図である。
【図７】図６のドレンキャップを排水口に装着した状態を示す断面図である。
【符号の説明】
【００３６】
１  キャップ本体
２  フロア
３  排水口
４  ロッド材
９  バネ板
１０  バネ板
１２  突起部（回り止め手段）
【図１】
2006045881.tif 000003
【図２】
2006045881.tif 000004
【図３】
2006045881.tif 000005
【図４】
2006045881.tif 000006
【図５】
2006045881.tif 000007
【図６】
2006045881.tif 000008
【図７】
2006045881.tif 000009